(57)【要約】  単相インバータの並列制御方法および並列制御システムならびにインバータ。各単相インバータの出力電圧および出力電流を取得し、電圧と電流のデカップリングを実現するために、再構成および座標変換によって静的ａｂｃ座標の電圧および電流をｄｑ座標に変換し、座標変換により、ｄｑ座標の電流ループの出力電圧コマンド値をａｂｃ座標に変換し、パワーデバイスのスイッチングを制御するために、ａｂｃ座標の出力電圧コマンド値に従って変調波を変調および生成する。本出願では、複数の単相インバータは、並列に接続されるように制御され、同時に動作を開始し、単相インバータの１つに障害が発生した後、他の単相インバータは故障した単相インバータの負荷を自動的に負い、それにより相互バックアップモジュールの再起動遅延の問題が解決され、電源の実際の無停電電源装置を実現し、高い信頼性を実現し、車両の運転への影響を回避する。【選択図】図６
2021528038.tif 000002
【特許請求の範囲】
【請求項１】
複数の単相インバータを含んで、各前記単相インバータの出力電圧および出力電流を制御し、前記複数の単相インバータの出力電流を均等に分割する単相インバータ並列システムで使用される単相インバータの並列制御方法であって、該並列制御方法が、
各前記単相インバータの前記出力電圧および前記出力電流を取得するステップと、
前記取得した電圧変数および前記取得した電流変数を再構築し、前記取得した電圧変数または前記取得した電流変数の位相からそれぞれ９０度の位相差を持つ直交仮想量を仮想化し、αβ座標において前記単相インバータ並列システムの直交成分をシミュレートするステップと、
前記αβ座標の前記直交成分をｄｑ座標の直流成分に変換するステップと、
瞬時有効電力Ｐおよび瞬時無効電力Ｑを計算するステップと、
交流バスの位相を検出し、前記ｄｑ座標の出力ｑ軸直流成分の目標値をゼロに制御して、並列出力を行う前記複数の単相インバータの位相を同じにするステップと、
各前記単相インバータの出力周波数を制御して前記複数の単相インバータの出力位相を同じにして、有効電力を均等に分割し、各前記単相インバータの出力振幅を制御して前記複数の単相インバータの出力電圧の振幅を同一にして、無効電力を均等に分割するステップと、
前記ｄｑ座標のｄ軸直流成分とｑ軸直流成分に対して閉ループ制御をそれぞれ実行して、軸ｄｑの出力電圧コマンド値を取得するステップと、
前記ｄｑ座標の前記出力電圧コマンド値を前記αβ座標の出力電圧コマンド値に変換し、前記αβ座標の前記出力電圧コマンド値をａｂｃ座標の出力電圧コマンド値に変換するステップと、
前記ａｂｃ座標の前記出力電圧コマンド値に従って各前記単相インバータの前記出力電圧を調整するための制御信号ＳＰＷＭパルスを変調および生成するステップと
の具体的ステップを含むことを特徴とする、単相インバータの並列制御方法。
【請求項２】
前記取得された電圧変数および前記取得された電流変数は、二次一般化積分器を採用することによって再構築され、該二次一般化積分器は、それぞれＶｏおよびｑＶｏである入力Ｖｉｎおよび２つの出力を有し、前記出力Ｖｏは前記入力Ｖｉｎと同じ位相および振幅を有し、前記出力ｑＶｏは前記入力Ｖｉｎと同じ振幅を有し、位相に関して前記入力Ｖｉｎに対して９０度の遅れがあり、前記２つの出力と前記入力の間の伝達関数は次のとおりであり、
2021528038.tif 000018
式中、ｋは減衰係数を表し、ω０は共振角周波数を表し、
ｓドメイン伝達関数が離散化された後、差分方程式は次のように取得され、
2021528038.tif 000019
式中、Ｔは前記システムのサンプリング期間を表し、ｘ（ｋ）は現在の期間の前記二次一般化積分器の入力を表し、ｘ（ｋ−１）は以前の期間の前記二次一般化積分器の入力を表し、ｘ（ｋ−２）は前記以前の期間の前の期間の前記二次一般化積分器の入力を表し、ｙ０１（ｋ）は前記現在の期間の前記二次一般化積分器の出力を表し、ｙ０１（ｋ−１）は前記以前の期間の前記二次一般化積分器の出力を表し、ｙ０１（ｋ−２）は前記以前の期間の前の前記期間の前記二次一般化積分器の出力を表し、ｙ０２（ｋ）は前記現在の期間の前記二次一般化積分器の出力を表し、位相に関してｙ０１（ｋ）に対して９０度の遅れがあり、ｙ０２（ｋ−１）は前記以前の期間の前記二次一般化積分器の出力を表し、ｙ０２（ｋ−２）は前記以前の期間の前の前記期間の前記二次一般化積分器の出力を表し、
前記現在の期間の前記二次一般化積分器の前記出力ｙ０１（ｋ）と前記現在の期間の前記二次一般化積分器の前記出力ｙ０２（ｋ）とは、前記二次一般化積分器によって最終的に出力される離散化直交成分であることを特徴とする、請求項１に記載の単相インバータの並列制御方法。
【請求項３】
前記αβ座標の前記直交成分が、ＰＡＲＫ変換により前記ｄｑ座標の前記直流成分に変換され、変換式は、
2021528038.tif 000020
式中、Ｕｄは前記ｄｑ座標のｄ軸直流電圧成分を表し、Ｕｑは前記ｄｑ座標のｑ軸直流電圧成分を表し、Ｕαは前記αβ座標のα軸直交電圧成分を表し、Ｕβは前記αβ座標のβ軸直交電圧成分を表すことを特徴とする、請求項２に記載の単相インバータの並列制御方法。
【請求項４】
前記交流バスの前記位相が位相ロックループによって検出され、ＰＩコントローラによって前記ｄｑ座標の前記出力ｑ軸直流成分の前記目標値をゼロに制御して、並列出力を実行する前記複数の単相インバータの前記位相が同じになるようにし、具体的なステップが、前記交流バスの電圧を取得し、前記二次一般化積分器を使用して、前記αβ座標で前記バスの前記電圧に対して９０度の遅れを有する直交成分を構築するステップと、前記αβ座標の前記直交成分をＰＡＲＫ変換により前記ｄｑ座標の直流成分に変換し、前記ｄｑ座標のｄ軸直流電圧成分Ｕｄおよびｑ軸直流電圧成分Ｕｑを計算するステップと、前記単相インバータの１つによって出力されるｑ軸直流電圧成分Ｕｑがゼロに等しい場合、前記単相インバータの出力位相は前記バスの前記位相と同じであり、前記ＰＩコントローラによって、前記出力ｑ軸直流電圧成分Ｕｑの前記目標値がゼロに制御して閉ループ調整を形成し、それにより並列出力を行う前記複数の単相インバータの前記位相を同じにするステップであることを特徴とする、請求項３に記載の単相インバータの並列制御方法。
【請求項５】
現在の瞬間および以前の瞬間の各前記単相インバータの出力電圧および出力電流を取得
して、前記瞬時有効電力Ｐおよび前記瞬時無効電力Ｑを計算するステップを特徴とし、前記瞬時有効電力Ｐおよび前記瞬時無効電力Ｑの計算式は、
2021528038.tif 000021
式中、Ｕｋは現在の瞬間の出力電圧のサンプリング値を表し、Ｉｋは前記現在の瞬間の出力電流のサンプリング値を表し、Ｕｋ−１は以前の瞬間の出力電圧のサンプリング値を表し、Ｉｋ−１は前記以前の瞬間の出力電流のサンプリング値を表し、ｘ＝２π／Ｎであり、Ｎは、サンプリング期間に対する電力周波数期間の比を表す、請求項１に記載の単相インバータの並列制御方法。
【請求項６】
前記単相インバータのそれぞれが、それ自体で有効電力出力および無効電力出力を検出し、前記位相が進んでいる単相インバータによって出力される前記有効電力が、前記位相が遅れている単相インバータによって出力される前記有効電力よりも大きく、前記各単相インバータの前記出力周波数は、ドループ制御により制御され、前記複数の単相インバータの前記出力位相を同じにして、前記有効電力を均等に分割し、前記各単相インバータの前記出力振幅はドループ制御により制御されて、前記複数の単相インバータの前記出力電圧の前記振幅を同一にして、前記無効電力を均等に分割し、前記ドループ制御のドループ対応は、
2021528038.tif 000022
式中、ｆは出力周波数を表し、ｆ０は初期周波数を表し、ｋＰは前記有効電力のドループ係数を表し、Ｖは出力電圧の振幅、Ｖ０は初期電圧の振幅、ｋＱは前記無効電力のドループ係数を表すことを特徴とする、請求項５に記載の単相インバータの並列制御方法。
【請求項７】
前記ドループ制御における前記ドループ係数は、前記複数の単相インバータが並列に起動される過程で補正され、補正されたドループ対応は、
2021528038.tif 000023
式中、Ｋｆは周波数補正係数を表し、ＫＶは振幅補正係数を表すことを特徴とする、請求項６に記載の単相インバータの並列制御方法。
【請求項８】
前記ｄｑ座標における前記ｄ軸直流成分および前記ｑ軸直流成分の前記閉ループ制御が、前記軸ｄｑの前記出力電圧コマンド値を取得するための電圧および電流のダブル−ループ制御の方法でそれぞれ実行され、具体的なステップが、ｄ軸電圧ループの基準コマンド値Ｕｄｒｅｆと電圧出力値Ｕｄとの差異を計算し、前記差異が前記ｄ軸電圧ループのＰＩコントローラに入り、前記ｄ軸電圧ループの前記ＰＩコントローラの出力をｄ軸電流ループの基準コマンド値Ｉｄｒｅｆとして取得し、前記ｄ軸電流ループの前記基準コマンド値Ｉｄｒｅｆと実際の電流出力値Ｉｄとの差異を計算し、次いで前記差異が前記ｄ軸電流ループのＰＩコントローラに入ることを可能にするステップと、ｑ軸電圧ループの基準コマンド値Ｕｑｒｅｆと電圧出力値Ｕｑとの差異を計算し、前記差異が前記ｑ軸電圧ループのＰＩコントローラに入り、前記ｑ軸電圧ループの前記ＰＩコントローラの出力をｑ軸電流
ループの基準コマンド値Ｉｑｒｅｆとして取得し、前記ｑ軸電流ループの前記基準コマンド値Ｉｑｒｅｆと実際の電流出力値Ｉｑとの差異を計算し、次いで前記差異が前記ｑ軸電流ループのＰＩコントローラに入ることを可能にするステップと、前記ｄ軸電流ループの出力値と前記ｑ軸電流ループの出力値に対してクロスデカップリングを実行して、前記軸ｄｑの前記出力電圧コマンド値を取得するステップであることを特徴とする、請求項１に記載の単相インバータの並列制御方法。
【請求項９】
前記ｄｑ座標の前記出力電圧コマンド値は、ＩＰＡＲＫ変換により前記αβ座標の前記出力電圧コマンド値に変換され、前記αβ座標の前記出力電圧コマンド値は、ＩＣＬＡＲＫＥ変換により前記ａｂｃ座標の前記出力電圧コマンド値に変換されることを特徴とする、請求項１に記載の単相インバータの並列制御方法。
【請求項１０】
前記各単相インバータの前記出力電圧を調整するための前記制御信号ＳＰＷＭパルスが、前記ａｂｃ座標の前記出力電圧コマンド値に従って生成され、具体的なステップが、前記ａｂｃ座標の前記出力電圧コマンド値に従って、同じ振幅および反対の位相を有する２つの正弦関数の変調波ＵａおよびＵｂを構築するステップであって、前記２つの正弦関数の変調波は搬送波として三角波Ｕｃを共有する、ステップと、それぞれ前記正弦関数の変調波ＵａとＵｂを前記三角波Ｕｃと比較して、２つのＳＰＷＭ波Ｕｇ１とＵｇ３を取得するステップであって、前記ＳＰＷＭ波Ｕｇ１は、各前記単相インバータのスイッチングチューブＱ１の駆動信号として使用され、Ｕｇ１に対応するリバース信号Ｕｇ２は、各前記単相インバータのスイッチングチューブＱ２の駆動信号として使用され、前記ＳＰＷＭ波Ｕｇ３は、各前記単相インバータのスイッチングチューブＱ３の駆動信号として使用され、Ｕｇ３に対応するリバース信号Ｕｇ４は、各前記単相インバータのスイッチングチューブＱ４の駆動信号として使用される、ステップと、前記搬送波のピークまたはトラフ位置で前記正弦関数の変調波をサンプリングするステップと、デジタル信号プロセッサの比較モジュールにより、各前記単相インバータの前記出力電圧を調整するための４つの制御信号ＳＰＷＭパルスを生成するステップであることを特徴とする、請求項９に記載の単相インバータの並列制御方法。
【請求項１１】
単相インバータ用の並列制御システムであって、
各前記単相インバータの出力電圧および出力電流を取得するように構成された装置と、
前記取得した電圧変数および前記取得した電流変数を再構築し、前記取得した電圧変数または前記取得した電流変数の位相からそれぞれ９０度の位相差を持つ直交仮想量を仮想化し、αβ座標において前記単相インバータ並列システムの直交成分をシミュレートするように構成された装置と、
前記αβ座標の前記直交成分をｄｑ座標の直流成分に変換するステップと、
瞬時有効電力Ｐおよび瞬時無効電力Ｑを計算するように構成された装置と、
交流バスの位相を検出し、前記ｄｑ座標の出力ｑ軸直流成分の目標値をゼロに制御して、並列出力を行う前記複数の単相インバータの位相を同じにするように構成された装置と、
各前記単相インバータの出力周波数を制御して前記複数の単相インバータの出力位相を同じにして、有効電力を均等に分割し、各前記単相インバータの出力振幅を制御して前記複数の単相インバータの出力電圧の振幅を同一にして、無効電力を均等に分割するように構成された装置と、
前記ｄｑ座標のｄ軸直流成分とｑ軸直流成分に対して閉ループ制御をそれぞれ実行して、軸ｄｑの出力電圧コマンド値を取得するように構成された装置と、
前記ｄｑ座標の前記出力電圧コマンド値を前記αβ座標の出力電圧コマンド値に変換し、前記αβ座標の前記出力電圧コマンド値をａｂｃ座標の出力電圧コマンド値に変換するように構成された装置と、
前記ａｂｃ座標の前記出力電圧コマンド値に従って各前記単相インバータの前記出力電
圧を調整するための制御信号ＳＰＷＭパルスを変調および生成するように構成された制御ユニットと
を備えることを特徴とする、単相インバータ用の並列制御システム。
【請求項１２】
電圧および電流再構成装置、すなわち、二次一般化積分器を採用することにより、前記取得した電圧変数および前記取得電流変数に対して電圧および電流再構成を実行するように構成された装置と、
ＰＡＲＫ変換装置、すなわち、ＰＡＲＫ変換により、前記αβ座標の前記直交成分を前記ｄｑ座標の前記直流成分に変換するように構成された装置と、
電力計算装置、すなわち、現在の瞬間と以前の瞬間の電圧および電流を採用することにより、前記瞬時有効電力と前記瞬時無効電力を計算するように構成された装置と、
位相ロックループ装置、すなわち、位相ロックループを採用することにより前記交流バスの前記位相を検出し、前記ｄｑ座標の前記出力ｑ軸直流成分の前記目標値をゼロに制御して、並列出力を実行する前記複数の単相インバータの前記位相を同じにするように構成された装置と、
ドループ制御装置、すなわち、同期起動ドループ制御の方法で、前記出力周波数を制御して前記有効電力を均等に分割し、前記出力振幅を制御して前記無効電力を均等に分割するように構成された装置と、
電圧および電流のダブル−ループ制御装置、すなわち、電圧および電流のダブル−ループ制御の方法で、前記閉ループ制御を実行して、軸ｄｑの前記出力電圧コマンド値を取得するように構成された装置と、
座標変換装置、すなわち、ＩＰＡＲＫ変換によって、前記ｄｑ座標の前記出力電圧コマンド値を前記αβ座標の前記出力電圧コマンド値に変換し、ＩＣＬＡＲＫＥ変換によって、前記αβ座標の前記出力電圧コマンド値をａｂｃ座標の前記出力電圧コマンド値に変換するように構成された装置と、
単極周波数逓倍変調ユニット、すなわち、前記ａｂｃ座標の前記出力電圧コマンド値に従って各前記単相インバータの前記出力電圧を調整するための前記制御信号ＳＰＷＭパルスを変調および生成するように構成された制御ユニットと
を具体的に備えることを特徴とする、請求項１１に記載の単相インバータ用の並列制御システム。
【請求項１３】
各前記単相インバータの前記取得した出力電圧および前記取得した出力電流が、現在の瞬間における出力電圧および出力電流ならびに以前の瞬間における出力電圧および出力電流を含むことを特徴とする、請求項１１に記載の単相インバータ用の並列制御システム。
【請求項１４】
並列起動中に前記出力周波数および前記出力振幅のドループ係数を補正するように構成された装置をさらに備えることを特徴とする、請求項１１または請求項１２に記載の単相インバータ用の並列制御システム。
【請求項１５】
複数の並列単相インバータを備え、すべての前記単相インバータが同じ構造を有することを特徴とするインバータであって、該インバータが、単相インバータ用の前記並列制御システムをさらに備え、各前記単相インバータのブーストチョッパ回路およびインバータ回路の両方が、単相インバータ用の前記並列制御システムの前記制御ユニットに接続されている、インバータ。
【発明の詳細な説明】
【技術分野】
【０００１】
本出願は、電力および電子の技術分野に属し、インバータ技術、特に単相インバータ用の並列制御方法および並列制御システムならびにインバータに関する。
【背景技術】
【０００２】
内燃機関車は、内燃機関からの動力によってホイールが伝動装置によって駆動される機関車である。これまで、中国では多くの内燃機関車が使用されており、各内燃機関車は発電車を採用して、列車全体に、エアコンディショニングシステムおよび照明システムなどのシステムに電力を供給する３ＡＣ３８０Ｖ電源を供給している。発電車は運転コストが高く、環境汚染などの欠点があるため、現在は徐々に電気機関車に改造されており、改造された電気機関車は架空接触システムから電力を引き出して列車全体の負荷に電力を供給する。ニュートラルセクションが存在するため、列車はニュートラルセクションを通過するときに無電力状態になり、空調システムや照明システムなどのシステムは、乗客の照明需要を維持するために正常に機能することができず、ニュートラルセクションを通過する際に、蓄電池と車載電源を追加し、蓄電池と単相インバータ（ｓｉｎｇｌｅ−ｐｈａｓｅ
ｉｎｖｅｒｔｅｒ）を介してニュートラルセクションの照明システムに電力を供給することで、乗客のパニックなどの問題を回避するために照明が途切れないように、乗客に提供される。
【０００３】
通常の列車の単相インバータと比較して、発電車改造後の単相インバータは、無停電電源装置として使用され、動作時に照明システムに継続的に電力を供給し、長時間の動作が求められ、したがって、照明システムの信頼性に対する要件が高まっている。現在、ダブルインバータモジュールの相互バックアップ冗長性の解決策が一般的に採用されており、ボックスには２つの単相インバータモジュールが内部に備えられており、通常、一方のインバータモジュールが動作し、もう一方のインバータモジュールは予備であり、また、一方のモジュールに障害が発生すると、もう一方のモジュールが起動し、接触器によって相互にバックアップされて、負荷にさらに電力を供給する。このようにして、照明システムの安定性をある程度改善することができる。ただし、２つのモジュールの相互バックアップ切り替え中は、予備モジュールの起動と相互バックアップのための接触器の接続の両方が遅延し、その間、単相インバータには出力がないため、照明システムを正常に維持することができず、乗客に中断のない照明を保証することが困難であり、照明の中断による乗客のパニックの問題が依然として発生する可能性がある。
【発明の概要】
【発明が解決しようとする課題】
【０００４】
単相インバータの相互バックアップ切り替え時の遅延による単相インバータからの出力がないことによる電源の断続などの上記の問題を解決するために、本出願は、切り替え中に途切れることなく電力を供給するための単相インバータ用の並列制御方法および並列制御システムならびにインバータを提供する。
【課題を解決するための手段】
【０００５】
上記目的を達成するために、本出願は、複数の単相インバータを含んで、各単相インバータの出力電圧および出力電流を制御し、複数の単相インバータの出力電流を均等に分割する単相インバータ並列システムで使用される単相インバータの並列制御方法であって、並列制御方法が、
各単相インバータの出力電圧および出力電流を取得するステップと、
取得した電圧変数および取得した電流変数を再構築し、取得した電圧変数または取得し
た電流変数の位相からそれぞれ９０度の位相差を持つ直交仮想量を仮想化し、αβ座標において単相インバータ並列システムの直交成分をシミュレートするステップと、
αβ座標の直交成分をｄｑ座標の直流成分に変換するステップと、
瞬時有効電力Ｐおよび瞬時無効電力Ｑを計算するステップと、
交流バスの位相を検出し、ｄｑ座標の出力ｑ軸直流成分の目標値をゼロに制御して、並列出力を行う複数の単相インバータの位相を同じにするステップと、
各単相インバータの出力周波数を制御して複数の単相インバータの出力位相を同じにして、有効電力を均等に分割し、各単相インバータの出力振幅を制御して複数の単相インバータの出力電圧の振幅を同一にして、無効電力を均等に分割するステップと、
ｄｑ座標のｄ軸直流成分とｑ軸直流成分に対して閉ループ制御をそれぞれ実行して、軸ｄｑの出力電圧コマンド値を取得するステップと、
ｄｑ座標の出力電圧コマンド値をαβ座標の出力電圧コマンド値に変換し、αβ座標の出力電圧コマンド値をａｂｃ座標の出力電圧コマンド値に変換するステップと、
ａｂｃ座標の出力電圧コマンド値に従って各単相インバータの出力電圧を調整するための制御信号ＳＰＷＭパルスを変調および生成するステップと
の具体的ステップを含む、並列制御方法を提供する。
【０００６】
好ましくは、取得した電圧変数および取得した電流変数は、二次一般化積分器（ｓｅｃｏｎｄ−ｏｒｄｅｒ  ｇｅｎｅｒａｌｉｚｅｄ  ｉｎｔｅｇｒａｔｏｒ）を採用することによって再構築され、二次一般化積分器は、それぞれＶｏおよびｑＶｏである入力Ｖｉｎおよび２つの出力を有し、出力Ｖｏは入力Ｖｉｎと同じ位相および振幅を有し、出力ｑＶｏは入力Ｖｉｎと同じ振幅を有し、位相に関して入力Ｖｉｎに対して９０度の遅れがあり、２つの出力と入力の間の伝達関数は次のとおりであり、
2021528038.tif 000003
式中、ｋは減衰係数を表し、ω０は共振角周波数を表し、
ｓドメイン伝達関数が離散化された後、差分方程式は次のように取得され、
2021528038.tif 000004
式中、Ｔはシステムのサンプリング期間を表し、ｘ（ｋ）は現在の期間の二次一般化積分器の入力を表し、ｘ（ｋ−１）は以前の期間の二次一般化積分器の入力を表し、ｘ（ｋ−２）は以前の期間の前の期間の二次一般化積分器の入力を表し、ｙ０１（ｋ）は現在の期間の二次一般化積分器の出力を表し、ｙ０１（ｋ−１）は以前の期間の二次一般化積分器の出力を表し、ｙ０１（ｋ−２）は以前の期間の前の期間の二次一般化積分器の出力を表し、ｙ０２（ｋ）は現在の期間の二次一般化積分器の出力を表し、位相に関してｙ０１（ｋ）に対して９０度の遅れがあり、ｙ０２（ｋ−１）は以前の期間の二次一般化積分器の出力を表し、ｙ０２（ｋ−２）は以前の期間の前の期間の二次一般化積分器の出力を表し、
現在の期間の二次一般化積分器の出力ｙ０１（ｋ）と現在の期間の二次一般化積分器の
出力ｙ０２（ｋ）とは、二次一般化積分器によって最終的に出力される離散化直交成分である。
【０００７】
好ましくは、αβ座標の直交成分が、ＰＡＲＫ変換によりｄｑ座標の直流成分に変換され、変換式は、
2021528038.tif 000005
式中、Ｕｄはｄｑ座標のｄ軸直流電圧成分を表し、Ｕｑはｄｑ座標のｑ軸直流電圧成分を表し、Ｕαはαβ座標のα軸直交電圧成分を表し、Ｕβはαβ座標のβ軸直交電圧成分を表す。
【０００８】
好ましくは、交流バスの位相が位相ロックループによって検出され、ＰＩコントローラによってｄｑ座標の出力ｑ軸直流成分の目標値をゼロに制御して、並列出力を実行する複数の単相インバータの位相が同じになるようにし、具体的なステップが、交流バスの電圧を取得し、二次一般化積分器を使用して、αβ座標でバスの電圧に対して９０度の遅れを有する直交成分を構築するステップと、αβ座標の直交成分をＰＡＲＫ変換によりｄｑ座標の直流成分（ｄｉｒｅｃｔ  ｃｕｒｒｅｎｔ  ｃｏｍｐｏｎｅｎｔ）に変換し、ｄｑ座標のｄ軸直流電圧成分Ｕｄおよびｑ軸直流電圧成分Ｕｑを計算するステップと、単相インバータの１つによって出力されるｑ軸直流電圧成分Ｕｑがゼロに等しい場合、単相インバータの出力位相はバスの位相と同じであり、ＰＩコントローラによって、出力ｑ軸直流電圧成分Ｕｑの目標値がゼロに制御して閉ループ調整を形成し、それにより並列出力を行う複数の単相インバータの位相を同じにするステップである。
【０００９】
好ましくは、現在の瞬間および以前の瞬間の各単相インバータの出力電圧および出力電流を取得して、瞬時有効電力（ｉｎｓｔａｎｔａｎｅｏｕｓ  ａｃｔｉｖｅ  ｐｏｗｅｒ）Ｐおよび瞬時無効電力Ｑを計算するステップを特徴とし、瞬時有効電力Ｐおよび瞬時無効電力Ｑの計算式は、
2021528038.tif 000006
式中、Ｕｋは現在の瞬間の出力電圧のサンプリング値を表し、Ｉｋは現在の瞬間の出力電流のサンプリング値を表し、Ｕｋ−１は以前の瞬間の出力電圧のサンプリング値を表し、Ｉｋ−１は以前の瞬間の出力電流のサンプリング値を表し、ｘ＝２π／Ｎであり、Ｎは、サンプリング期間に対する電力周波数期間の比を表す。
【００１０】
好ましくは、単相インバータのそれぞれが、それ自体で有効電力出力および無効電力出力を検出し、位相が進んでいる単相インバータによって出力される有効電力が、位相が遅れている単相インバータによって出力される有効電力よりも大きく、各単相インバータの出力周波数は、ドループ制御により制御され、複数の単相インバータの出力位相を同じにして、有効電力を均等に分割し、各単相インバータの出力振幅はドループ制御により制御されて、複数の単相インバータの出力電圧の振幅を同一にして、無効電力を均等に分割し、ドループ制御のドループ対応は、
2021528038.tif 000007
式中、ｆは出力周波数を表し、ｆ０は初期周波数を表し、ｋＰは有効電力のドループ係数を表し、Ｖは出力電圧の振幅、Ｖ０は初期電圧の振幅、ｋＱは無効電力のドループ係数を表す。
【００１１】
好ましくは、ドループ制御におけるドループ係数は、複数の単相インバータが並列に起動される過程で補正され、補正されたドループ対応は、
2021528038.tif 000008
式中、Ｋｆは周波数補正係数を表し、ＫＶは振幅補正係数を表す。
【００１２】
好ましくは、ｄｑ座標におけるｄ軸直流成分およびｑ軸直流成分の閉ループ制御が、軸ｄｑの出力電圧コマンド値を取得するための電圧および電流のダブル−ループ制御の方法でそれぞれ実行され、具体的なステップが、ｄ軸電圧ループの基準コマンド値Ｕｄｒｅｆと電圧出力値Ｕｄとの差異を計算し、差異がｄ軸電圧ループのＰＩコントローラに入り、ｄ軸電圧ループのＰＩコントローラの出力をｄ軸電流ループの基準コマンド値Ｉｄｒｅｆとして取得し、ｄ軸電流ループの基準コマンド値Ｉｄｒｅｆと実際の電流出力値Ｉｄとの差異を計算し、次いで差異がｄ軸電流ループのＰＩコントローラに入ることを可能にするステップと、ｑ軸電圧ループの基準コマンド値Ｕｑｒｅｆと電圧出力値Ｕｑとの差異を計算し、差異がｑ軸電圧ループのＰＩコントローラに入り、ｑ軸電圧ループのＰＩコントローラの出力をｑ軸電流ループの基準コマンド値Ｉｑｒｅｆとして取得し、ｑ軸電流ループの基準コマンド値Ｉｑｒｅｆと実際の電流出力値Ｉｑとの差異を計算し、次いで差異がｑ軸電流ループのＰＩコントローラに入ることを可能にするステップと、ｄ軸電流ループの出力値とｑ軸電流ループの出力値に対してクロスデカップリングを実行して、軸ｄｑの出力電圧コマンド値を取得するステップである。
【００１３】
好ましくは、ｄｑ座標の出力電圧コマンド値は、ＩＰＡＲＫ変換によりαβ座標の出力電圧コマンド値に変換され、αβ座標の出力電圧コマンド値は、ＩＣＬＡＲＫＥ変換によりａｂｃ座標の出力電圧コマンド値に変換される。
【００１４】
好ましくは、各単相インバータの出力電圧を調整するための制御信号ＳＰＷＭパルスが、ａｂｃ座標の出力電圧コマンド値に従って生成され、具体的なステップが、ａｂｃ座標の出力電圧コマンド値に従って、同じ振幅および反対の位相を有する２つの正弦関数の変調波ＵａおよびＵｂを構築するステップであって、２つの正弦関数の変調波は搬送波として三角波Ｕｃを共有する、ステップと、それぞれ正弦関数の変調波ＵａとＵｂを三角波Ｕｃと比較して、２つのＳＰＷＭ波Ｕｇ１とＵｇ３を取得するステップであって、ＳＰＷＭ波Ｕｇ１は、各単相インバータのスイッチングチューブＱ１の駆動信号として使用され、Ｕｇ１に対応するリバース信号Ｕｇ２は、各単相インバータのスイッチングチューブＱ２の駆動信号として使用され、ＳＰＷＭ波Ｕｇ３は、各単相インバータのスイッチングチューブＱ３の駆動信号として使用され、Ｕｇ３に対応するリバース信号Ｕｇ４は、各単相インバータのスイッチングチューブＱ４の駆動信号として使用される、ステップと、搬送波のピークまたはトラフ位置で正弦関数の変調波をサンプリングするステップと、デジタル信号プロセッサの比較モジュールにより、各単相インバータの出力電圧を調整するための４つの制御信号ＳＰＷＭパルスを生成するステップである。
【００１５】
上記目的を達成するために、本出願は、単相インバータ用の並列制御システムであって、
各単相インバータの出力電圧および出力電流を取得するように構成された装置と、
取得した電圧変数および取得した電流変数を再構築し、取得した電圧変数または取得した電流変数の位相からそれぞれ９０度の位相差を持つ直交仮想量を仮想化し、αβ座標において単相インバータ並列システムの直交成分をシミュレートするように構成された装置と、
αβ座標の直交成分をｄｑ座標の直流成分に変換するステップと、
瞬時有効電力Ｐおよび瞬時無効電力Ｑを計算するように構成された装置と、
交流バスの位相を検出し、ｄｑ座標の出力ｑ軸直流成分の目標値をゼロに制御して、並列出力を行う複数の単相インバータの位相を同じにするように構成された装置と、
各単相インバータの出力周波数を制御して複数の単相インバータの出力位相を同じにして、有効電力を均等に分割し、各単相インバータの出力振幅を制御して複数の単相インバータの出力電圧の振幅を同一にして、無効電力を均等に分割するように構成された装置と、
ｄｑ座標のｄ軸直流成分とｑ軸直流成分に対して閉ループ制御をそれぞれ実行して、軸ｄｑの出力電圧コマンド値を取得するように構成された装置と、
ｄｑ座標の出力電圧コマンド値をαβ座標の出力電圧コマンド値に変換し、αβ座標の出力電圧コマンド値をａｂｃ座標の出力電圧コマンド値に変換するように構成された装置と、
ａｂｃ座標の出力電圧コマンド値に従って各単相インバータの出力電圧を調整するための制御信号ＳＰＷＭパルスを変調および生成するように構成された制御ユニットと
を備える、並列制御システムをさらに提供する。
【００１６】
好ましくは、単相インバータ用の並列制御システムは、電圧および電流再構成装置、すなわち、二次一般化積分器を採用することにより、取得した電圧変数および取得した電流変数に対して電圧および電流再構成を実行するように構成された装置と、
ＰＡＲＫ変換装置、すなわち、ＰＡＲＫ変換により、αβ座標の直交成分をｄｑ座標の直流成分に変換するように構成された装置と、
電力計算装置、すなわち、現在の瞬間と以前の瞬間の電圧および電流を採用することにより、瞬時有効電力と瞬時無効電力を計算するように構成された装置と、
位相ロックループ装置、すなわち、位相ロックループを採用することにより交流バスの位相を検出し、ｄｑ座標の出力ｑ軸直流成分の目標値をゼロに制御して、並列出力を実行する複数の単相インバータの位相を同じにするように構成された装置と、
ドループ制御装置、すなわち、同期起動ドループ制御の方法で、出力周波数を制御して有効電力を均等に分割し、出力振幅を制御して無効電力を均等に分割するように構成された装置と、
電圧および電流のダブル−ループ制御装置、すなわち、電圧および電流のダブル−ループ制御の方法で、閉ループ制御を実行して、軸ｄｑの出力電圧コマンド値を取得するように構成された装置と、
座標変換装置、すなわち、ＩＰＡＲＫ変換によって、ｄｑ座標の出力電圧コマンド値をαβ座標の出力電圧コマンド値に変換し、ＩＣＬＡＲＫＥ変換によって、αβ座標の出力電圧コマンド値をａｂｃ座標の出力電圧コマンド値に変換するように構成された装置と、
単極周波数逓倍変調ユニット、すなわち、ａｂｃ座標の出力電圧コマンド値に従って各単相インバータの出力電圧を調整するための制御信号ＳＰＷＭパルスを変調および生成するように構成された制御ユニットと
を具体的に備える。
【００１７】
好ましくは、各単相インバータの取得した出力電圧および取得した出力電流が、現在の瞬間における出力電圧および出力電流ならびに以前の瞬間における出力電圧および出力電
流を含む。
【００１８】
さらに、単相インバータ用の並列制御システムは、並列起動中に出力周波数および出力振幅のドループ係数を補正するように構成された装置をさらに含む。
【００１９】
上記目的を達成するために、本出願は、複数の並列単相インバータを備えるインバータをさらに提供し、すべての単相インバータが同じ構造を有し、インバータは、単相インバータ用の並列制御システムをさらに備え、各単相インバータのブーストチョッパ回路およびインバータ回路の両方が、単相インバータ用の並列制御システムの制御ユニットに接続されている。
【００２０】
従来技術と比較して、本出願は、以下の利点および有益な効果を有する。
【００２１】
（１）本出願によれば、複数の単相インバータは、並列に接続されるように制御され、同時に動作を開始し、単相インバータの１つに障害が発生した後、他の単相インバータは故障した単相インバータの負荷を自動的に負い、それにより相互バックアップモジュールの再起動遅延の問題が解決され、電源の実際の無停電電源装置を実現し、高い信頼性を実現し、車両の運転への影響を回避する。
【００２２】
（２）本出願によれば、取得した出力電圧および出力電流は、二次一般化積分器を採用することによって再構築され、直交成分が構築されている間に適応フィルタリングが実行されるため、システムの妨害防止能力は改善され、位相ロックの精度が高く、グリッド接続中に発生する衝撃電流が効果的に抑制される。
【００２３】
（３）本出願によれば、出力電力は、新しい瞬時電力計算方法を採用することによって計算され、瞬時有効電力および瞬時無効電力は、積分単位の代わりに２つの隣接する瞬間のサンプリング値を採用することによってのみ計算することができ、そのため、安定性および動的特性に対する従来の電力計算における積分遅延の影響が克服される。負荷が急激に変化した後、わずかに１周期で瞬時電力が得られるため、計算遅延が短縮され、動的トラッキング性が良好である。新しい瞬時電力計算方法を採用することにより、三角関数のリアルタイム計算が不要になるため、制御アルゴリズムの計算量が削減され、占有されるＤＳＰリソースが少なくなる。
【００２４】
（４）本出願では同期起動ドループ制御方式を採用し、並列起動時にドループ係数を補正することにより、ドループ効果を改善し、グリッド接続時に発生する衝撃電流を迅速に抑制でき、起動時の比較的弱いドループ制御問題が解消され、並列システムの動作範囲が広がり、並列起動の成功率が向上する。
【００２５】
（５）本出願では単極周波数逓倍変調方式を採用しているため、単相インバータの４つのスイッチングチューブのスイッチング周波数はキャリアの周波数と同じであり、インバータから出力されるパルス周波数は、電力機器のスイッチング周波数を変えない状態で２倍になり、リアクトルおよびコンデンサなどのフィルタのサイズおよび重量を大幅に削減し、単相インバータのコストを削減する。
【図面の簡単な説明】
【００２６】
【図１】本出願の一実施形態における単相インバータの主回路トポロジ構造を示す概略図である。
【図２】本出願の一実施形態における単相インバータ並列システムの構造を示すブロック図である。
【図３】本出願の一実施形態における二次一般化積分器の構造を示す概略図である。
【図４】本出願の一実施形態における瞬時電力の計算を示す概略ブロック図である。
【図５】本出願の一実施形態における二次一般化積分器に基づく位相ロックループを示す概略図である。
【図６】本出願の一実施形態における単相インバータ用の制御システムの構造を示すブロック図である。
【発明を実施するための形態】
【００２７】
本出願は、例示的な実装によって以下に具体的に説明される。しかしながら、さらなる説明なしに、１つの実装の要素、構造、および特徴はまた、他の実装に有益に組み合わせることができることを理解されたい。
【００２８】
本出願の実施形態では、関連する単相インバータのそれぞれは、ブーストチョッパ回路およびインバータ回路を含み、単相インバータの主回路トポロジは、図１に示されている。ブーストチョッパ回路は、ブーストリアクトルＬ１、ダイオードＤ１、スイッチングチューブＱ５で構成され、蓄電池の入力ＤＣ４８ＶはＤＣ２００Ｖにブーストされる。インバータ回路は、４つのスイッチングチューブＱ１、Ｑ２、Ｑ３、Ｑ４で構成されるインバータブリッジと、リアクトルＬ２およびコンデンサＣ２で構成されるフィルタで構成されている。単相インバータは、変圧器Ｔ１によって絶縁およびブーストされた後、外向きに電圧を出力し、ＤＣ２００ＶをＡＣ２２０Ｖに反転した後、列車に単相交流電力を供給する。
【００２９】
本出願の実施形態では、関連する単相インバータ並列システムは、少なくとも２つの並列単相インバータを含み、すなわち、単相インバータ並列システムは、２つ、３つ、４つ、またはそれ以上の並列単相インバータを含むことがあり、これは実際の需要に応じて具体的に決定される。例として２つの並列単相インバータを含む単相インバータ並列システムでは、図２に示すような単相インバータ並列システムを参照すると、システム内の２つの単相インバータは構造が同じであり、一次および二次の考慮なしに並列に動作する。
【００３０】
本出願の一実施形態は、単相インバータ用の並列制御方法を提供する。各単相インバータの出力電圧および出力電流を取得し、静的ａｂｃ座標の電圧および電流は、再構築および座標変換によってｄｑ座標に変換されて分離され、軸ｄｑの出力電圧コマンド値は、閉ループ制御によって取得され、ｄｑ座標の出力電圧コマンド値は、ａｂｃ座標の出力電圧コマンド値に変換され、変調波は、ａｂｃ座標の出力電圧コマンド値に従って変調および生成され、電力装置の切り替えを制御する。並列制御方法は、次のような特定のステップを含み、
Ｓ１：各単相インバータの出力電圧および出力電流を取得し、
Ｓ２：取得した電圧変数および取得した電流変数を再構築し、取得した電圧変数または取得した電流変数の位相からそれぞれ９０度の位相差を持つ直交仮想量を仮想化し、αβ座標の単相インバータ並列システムの直交成分がシミュレートされ、
Ｓ３：αβ座標の直交成分はｄｑ座標の直流成分に変換され、
Ｓ４：瞬時有効電力Ｐおよび瞬時無効電力Ｑが計算され、
Ｓ５：交流バスの位相を検出し、ｄｑ座標の出力ｑ軸直流成分の目標値をゼロに制御して、並列出力を行う複数の単相インバータの位相を同じにし、最初に起動されなかった単相インバータが交流バスを自動的に追跡できるようにして、それにより位相を同一に保ち、最初に起動されなかったインバータのグリッド接続中に発生する衝撃電流を低減し、
Ｓ６：各単相インバータの出力周波数は制御されて、複数の単相インバータの出力相を同じにして、有効電力を均等に分割し、各単相インバータの出力振幅は制御されて、複数の単相インバータの出力電圧の振幅を同一にして、無効電力を均等に分割し、
Ｓ７：ｄｑ座標のｄ軸直流成分とｑ軸直流成分の閉ループ制御をそれぞれ実行して、軸ｄｑの出力電圧コマンド値を取得し、
Ｓ８：ｄｑ座標の出力電圧コマンド値はαβ座標の出力電圧コマンド値に変換され、αβ座標の出力電圧コマンド値はａｂｃ座標の出力電圧コマンド値に変換され、
Ｓ９：各単相インバータの出力電圧を調整するための制御信号ＳＰＷＭパルスは、ａｂｃ座標の出力電圧コマンド値に従って変調および生成される。
【００３１】
上記の本出願の単相インバータ用の並列制御方法を使用することによって、複数の単相インバータは、並列に接続されるように制御され、同時に動作を開始し、単相インバータの１つに障害が発生した後、他の単相インバータは故障した単相インバータの負荷を自動的に負い、それにより相互バックアップモジュールの再起動遅延の問題が解決され、電源の実際の無停電電源装置を実現し、高い信頼性を実現し、車両の運転への影響を回避する。
【００３２】
上記の単相インバータに対する並列制御方法の好ましい実施形態では、ステップＳ２において、取得した電圧変数および電流変数は、二次一般化積分器を採用することによって再構築され、図３を参照して、二次一般化積分器は、それぞれＶｏおよびｑＶｏである入力Ｖｉｎおよび２つの出力を有し、出力Ｖｏは入力Ｖｉｎと同じ位相および振幅を有し、出力ｑＶｏは入力Ｖｉｎと同じ振幅を有し、位相に関して入力Ｖｉｎに対して９０度の遅れがあり、２つの出力と入力の間の伝達関数は次のとおりであり、
2021528038.tif 000009
式中、Ｄ（ｓ）は出力Ｖｏと入力Ｖｉｎとの間の伝達関数を表し、Ｑ（ｓ）は出力ｑＶｏと入力Ｖｉｎとの間の伝達関数を表し、ｋは減衰係数を表し、ω０は共振角周波数を表す。
【００３３】
ｓ領域伝達関数が離散化された後、差分方程式は次のように取得され、
2021528038.tif 000010
式中、Ｔはシステムのサンプリング期間を表し、ｘ（ｋ）は現在の期間の二次一般化積分器の入力を表し、ｘ（ｋ−１）は以前の期間の二次一般化積分器の入力を表し、ｘ（ｋ−２）は以前の期間の前の期間の二次一般化積分器の入力を表し、ｙ０１（ｋ）は現在の期間の二次一般化積分器の出力を表し、ｙ０１（ｋ−１）は以前の期間の二次一般化積分器の出力を表し、ｙ０１（ｋ−２）は以前の期間の前の期間の二次一般化積分器の出力を表し、ｙ０２（ｋ）は現在の期間の二次一般化積分器の位相に関してｙ０１（ｋ−１）に対して９０度の遅れがある出力を表し、ｙ０２（ｋ−１）は以前の期間の二次一般化積分器の位相に関してｙ０１（ｋ−１）に対して９０度の遅れがある出力を表し、ｙ０２（ｋ−２）は以前の期間の前の期間の二次一般化積分器の位相に関してｙ０１（ｋ−２）に対して９０度の遅れがある出力を表す。
【００３４】
現在の期間の二次一般化積分器の出力ｙ０１（ｋ）と、現在の期間の二次一般化積分器の位相に関して９０度の遅れがある出力ｙ０２（ｋ）は、二次一般化積分器によって最終的に出力される離散化直交成分である。
【００３５】
二次一般化積分器を採用することで出力電圧および出力電流を再構築し、位相に関して９０度の遅れがある直交成分を仮想化することで、従来の方法を使用して直交仮想信号が構築されるときに発生するフィルタリング遅延や不十分な動的応答能力などの問題が解決される。二次一般化積分器を採用した再構成法を採用しているため、直交仮想量を構築しながら取得に対して適応フィルタリングを行うことができ、システムの妨害防止能力が向上する。構築された直交仮想量は、軸ｄｑのデカップリング制御を実現できるだけでなく、後続の位相ロックループの基礎を提供するため、位相ロック精度に対する直流成分などの悪影響が排除され、グリッド接続中に発生する衝撃電流が効果的に抑制される。
【００３６】
上記の単相インバータに対する並列制御方法の好ましい実装において、ステップＳ３において、αβ座標の直交成分が、ＰＡＲＫ変換によりｄｑ座標の直流成分に変換され、変換式は、
2021528038.tif 000011
式中、Ｕｄはｄｑ座標のｄ軸直流電圧成分を表し、Ｕｑはｄｑ座標のｑ軸直流電圧成分を表し、Ｕαはαβ座標のα軸直交電圧成分を表し、Ｕβはαβ座標のβ軸直交電圧成分を表す。
同様に、電流は、ＰＡＲＫ変換により、ｄｑ座標においてｄ軸電流成分およびｑ軸電流成分に変換され、電流変換式は上記と同じであり、その説明はここでは省略される。
【００３７】
上記の単相インバータに対する並列制御方法の好ましい実装において、ステップＳ４において、現在の瞬間および以前の瞬間の各単相インバータの出力電圧および出力電流を取得して、図４に示すように、瞬時有効電力Ｐおよび瞬時無効電力Ｑが計算され、瞬時有効電力Ｐおよび瞬時無効電力Ｑの計算式は、
2021528038.tif 000012
式中、Ｕｋは現在の瞬間の出力電圧のサンプリング値を表し、Ｉｋは現在の瞬間の出力電流のサンプリング値を表し、Ｕｋ−１は以前の瞬間の出力電圧のサンプリング値を表し、Ｉｋ−１は以前の瞬間の出力電流のサンプリング値を表し、ｘ＝２π／Ｎであり、Ｎは、サンプリング期間に対する電力周波数期間の比を表す。
新しい電力計算方法を採用し、出力電圧および出力電流の正弦特性に従って、瞬時電力は、積分単位ではなく、２つの隣接する瞬間の電圧および電流を取得するだけで計算できるため、安定性および動的特性に対する従来の電力計算における積分遅延の影響は克服される。負荷が急激に変化した後、わずかに１周期で瞬時電力が得られるため、計算遅延が短縮され、動的トラッキング性が良好である。電力計算方法を採用することにより、三角関数のリアルタイム計算が不要になるため、制御アルゴリズムの計算量が削減され、占有されるデジタル信号プロセッサ（ＤＳＰ）リソースが少なくなる。
【００３８】
上記の単相インバータに対する並列制御方法の好ましい実装では、ステップＳ５におい
て、交流バスの位相は、位相ロックループによって検出され、ｄｑ座標のバスによって出力されるｑ軸直流成分の目標値をＰＩコントローラによってゼロに制御して、並列出力を実行する複数の単相インバータの位相を同じにする。図５を参照して、具体的なステップは、ステップ２を参照して、交流バスの電圧を取得し、二次一般化積分器を使用して、αβ座標でバスの電圧に対して９０度の遅れを有する直交成分が構築され、ステップ３を参照して、αβ座標の直交成分をＰＡＲＫ変換によりｄｑ座標の直流成分に変換し、ｄｑ座標のｄ軸直流電圧成分Ｕｄおよびｑ軸直流電圧成分Ｕｑが計算され、単相インバータの１つによって出力されるｑ軸直流電圧成分Ｕｑがゼロに等しい場合、単相インバータの出力位相はバスの位相と同じであり、ＰＩコントローラが、バスによって出力されたｑ軸直流電圧成分Ｕｑの目標値をゼロに制御して閉ループ調整を形成し、それにより並列出力を行う複数の単相インバータの位相を同じにする。交流バスの位相は位相ロックループで検出され、単相インバータの位相はバスの位相と同じになるように制御されるため、並列出力を実行する複数の単相インバータの位相は同じであり、グリッド接続時に発生する衝撃電流が低減される。
【００３９】
上記の単相インバータに対する並列制御方法の好ましい実装では、ステップＳ６において、各単相インバータは、それ自体で有効電力および無効電力出力を検出し、位相が進んでいる単相インバータによって出力される有効電力は、位相が遅れている単相インバータによる出力よりも大きい。各単相インバータの出力周波数はドループ制御によって制御されて、複数の単相インバータの出力相を同じにして、有効電力を均等に分割し、各単相インバータの出力振幅はドループ制御によって制御されて、複数の単相インバータの出力電圧の振幅を同一にして、無効電力を均等に分割し、ドループ制御のドループ対応は、
2021528038.tif 000013
式中、ｆは出力周波数を表し、ｆ０は初期周波数を表し、ｋＰは有効電力のドループ係数を表し、Ｖは出力電圧の振幅、Ｖ０は初期電圧の振幅、ｋＱは無効電力のドループ係数を表す。
ワイヤを並列に相互接続しないドループ制御を採用し、位相の同期および有効電力の均等分割を周波数ドループで実現し、無効電力の均等分割を振幅ドループで実現することで、複数の単相インバータの電流共有を実現し、グリッド接続された単相インバータの位相を同じに保つ。
【００４０】
上記の単相インバータの並列制御方法の好ましい実施例では、ステップＳ６において、好ましくは、ドループ制御におけるドループ係数は、複数の単相インバータが並列に起動される過程で補正され、補正されたドループ対応は、
2021528038.tif 000014
式中、Ｋｆは周波数補正係数を表し、ＫＶは振幅補正係数を表し、ＫｆおよびＫＶは同じ値を有し、以下の方法を使用することによって具体的に計算され、
2021528038.tif 000015
式中、Ｕｒｅｆは目標電圧値を表し、Ｕは現在の電圧値を表す。
【００４１】
複数の単相インバータに同時に電力が供給され、一緒に起動される。さらに、単相インバータは、起動時に位相ロックされないように構造が同一であり、主回路遅延が基本的に
同一であるが、ソフトスタート時に直接グリッド接続される。ソフトスタート時は出力電圧が非常に低いため、出力有効電力および無効電力の両方が非常に低く、ドループ効果が比較的弱く、単相インバータの電流共有が不十分で、出力発振が発生しやすく並列システムの故障につながる。本出願では、ソフトスタートおよび通常運転の作業条件の互換性を実現する最適化された同期起動ドループ制御を採用し、ドループ係数を補正できるため、ドループ効果を高めることができ、グリッド接続時に発生する衝撃電流を迅速に抑制できるため、システムが確実に起動する。
【００４２】
上記の単相インバータに対する並列制御方法の好ましい実装では、ステップＳ７において、ｄｑ座標におけるｄ軸直流成分およびｑ軸直流成分に対する閉ループ制御がそれぞれ、電圧と電流のダブル−ループ制御の方法で実行され、軸ｄｑの出力電圧コマンド値を取得する。具体的なステップは、ｄ軸電圧ループの基準コマンド値Ｕｄｒｅｆと電圧出力値Ｕｄとの差異を計算し、差異がｄ軸電圧ループのＰＩコントローラに入り、ｄ軸電圧ループのＰＩコントローラの出力をｄ軸電流ループの基準コマンド値Ｉｄｒｅｆとして取得し、ｄ軸電流ループの基準コマンド値Ｉｄｒｅｆと実際の電流出力値Ｉｄとの差異を計算し、次いで差異がｄ軸電流ループのＰＩコントローラに入ることを可能にし、ｑ軸電圧ループの基準コマンド値Ｕｑｒｅｆと電圧出力値Ｕｑとの差異を計算し、差異がｑ軸電圧ループのＰＩコントローラに入り、ｑ軸電圧ループのＰＩコントローラの出力をｑ軸電流ループの基準コマンド値Ｉｑｒｅｆとして取得し、ｑ軸電流ループの基準コマンド値Ｉｑｒｅｆと実際の電流出力値Ｉｑとの差異を計算し、次いで差異がｑ軸電流ループのＰＩコントローラに入ることを可能にし、ｄ軸電流ループの出力値とｑ軸電流ループの出力値に対してクロスデカップリングを実行して、ｄｑ座標の出力電圧コマンド値を取得する。電圧および電流のダブル−ループ制御を採用しているため、電圧の外側のループは交流出力電圧の安定性を実現し、電流の内側のループはシステムの応答速度を向上させる一方、他方では電流制限の役割を果たす。本ステップにおいて、ｄ軸電圧ループの上記基準コマンド値Ｕｄｒｅｆは、単相インバータの技術的要件に従って当業者によって決定され、ｑ軸電圧ループの基準コマンド値Ｕｑｒｅｆは０であり、上記電圧出力値Ｕｄおよび電圧出力値Ｕｑは、それぞれ、ステップＳ３の変換により得られたｄ軸直流電圧成分およびｑ軸直流電圧成分であり、上記の実際の電流出力値Ｉｄおよび実際の電流出力値Ｉｑは、それぞれ、ステップＳ３で変換によって得られたｄ軸電流成分およびｑ軸電流成分である。
【００４３】
上記の単相インバータに対する並列制御方法の好ましい実装では、ステップＳ８において、ｄｑ座標の出力電圧コマンド値は、ＩＰＡＲＫ変換によりαβ座標の出力電圧コマンド値に変換され、αβ座標の出力電圧コマンド値は、ＩＣＬＡＲＫＥ変換によりａｂｃ座標の出力電圧コマンド値に変換され、ＩＰＡＲＫ変換の変換式は、
2021528038.tif 000016
式中、Ｕαはαβ座標の軸αの出力電圧コマンド値の成分を表し、Ｕβはαβ座標の軸βの出力電圧コマンド値の成分を表し、Ｕｄはｄｑ座標の軸ｄの出力電圧コマンド値を表し、Ｕｑはｄｑ座標の軸ｑの出力電圧コマンド値を表す。
【００４４】
ＩＣＬＡＲＫＥ変換の変換式は、
2021528038.tif 000017
式中、Ｕαはａｂｃ座標の軸ａの出力電圧コマンド値の成分を表し、Ｕｂはａｂｃ座標の軸ｂの出力電圧コマンド値の成分を表し、Ｕｃはａｂｃ座標の軸ｃの出力電圧コマンド値の成分を表す。
【００４５】
上記の単相インバータの並列制御方法の好ましい実装では、ステップＳ９において、各単相インバータの出力電圧を調整するための制御信号ＳＰＷＭパルスが、ａｂｃ座標の出力電圧コマンド値に従って生成される。具体的なステップは以下のように、ａｂｃ座標の出力電圧コマンド値に従って、同じ振幅および反対の位相を有する２つの正弦関数の変調波ＵａおよびＵｂを構築し、２つの正弦関数の変調波は搬送波Ｕｃとして三角波Ｕｃを共有し、それぞれ正弦関数の変調波ＵａとＵｂを三角波Ｕｃと比較して、２つのＳＰＷＭ波Ｕｇ１とＵｇ３を取得し、ＳＰＷＭ波Ｕｇ１は、各単相インバータのスイッチングチューブＱ１の駆動信号として使用され、Ｕｇ１に対応するリバース信号Ｕｇ２は、各単相インバータのスイッチングチューブＱ２の駆動信号として使用され、ＳＰＷＭ波Ｕｇ３は、各単相インバータのスイッチングチューブＱ３の駆動信号として使用され、Ｕｇ３に対応するリバース信号Ｕｇ４は、各単相インバータのスイッチングチューブＱ４の駆動信号として使用され、搬送波のピークまたはトラフ位置で正弦関数の変調波を均等規格サンプリング法によりサンプリングし、各単相インバータの出力電圧を調整するための４つの制御信号ＳＰＷＭパルスは、４つのスイッチングチューブＱ１、Ｑ２、Ｑ３およびＱ４を駆動するためのＤＳＰの比較モジュールにより生成される。単極周波数逓倍変調方式を採用しているため、単相インバータの４つのスイッチングチューブのスイッチング周波数はキャリアの周波数と同じであり、単相インバータから出力されるパルス周波数は、電力機器のスイッチング周波数を変えない状態で２倍になり、リアクトルおよびコンデンサなどのフィルタのサイズおよび重量を大幅に削減し、単相インバータのコストを削減する。
【００４６】
本出願の実施形態は、単相インバータ用の並列制御システムをさらに提供し、
各単相インバータの出力電圧および出力電流を取得するように構成された装置と、
取得した電圧変数および取得した電流変数を再構築し、取得した電圧変数または取得した電流変数の位相からそれぞれ９０度の位相差を持つ直交仮想量を仮想化し、αβ座標において単相インバータ並列システムの直交成分をシミュレートするように構成された装置と、
αβ座標の直交成分をｄｑ座標の直流成分に変換するステップと、
瞬時有効電力Ｐおよび瞬時無効電力Ｑを計算するように構成された装置と、
交流バスの位相を検出し、ｄｑ座標の出力ｑ軸直流成分の目標値をゼロに制御して、並列出力を行う複数の単相インバータの位相を同じにするように構成された装置と、
各単相インバータの出力周波数を制御して複数の単相インバータの出力位相を同じにして、有効電力を均等に分割し、各単相インバータの出力振幅を制御して複数の単相インバータの出力電圧の振幅を同一にして、無効電力を均等に分割するように構成された装置と、
ｄｑ座標のｄ軸直流成分とｑ軸直流成分に対して閉ループ制御をそれぞれ実行して、軸
ｄｑの出力電圧コマンド値を取得するように構成された装置と、
ｄｑ座標の出力電圧コマンド値をαβ座標の出力電圧コマンド値に変換し、αβ座標の出力電圧コマンド値をａｂｃ座標の出力電圧コマンド値に変換するように構成された装置と、
ａｂｃ座標の出力電圧コマンド値に従って各単相インバータの出力電圧を調整するための制御信号ＳＰＷＭパルスを変調および生成するように構成された制御ユニットと
を含む。
【００４７】
上記の本出願の単相インバータ用の並列制御方法を使用することによって、複数の単相インバータは、並列に接続されるように制御され、同時に動作を開始し、単相インバータの１つに障害が発生した後、他の単相インバータは故障した単相インバータの負荷を自動的に負い、それにより相互バックアップモジュールの再起動遅延の問題が解決され、電源の実際の無停電電源装置を実現し、高い信頼性を実現し、車両の運転への影響を回避する。
【００４８】
上記の単相インバータの上記並列制御システムの好ましい実装において、各単相インバータの取得した出力電圧および取得した出力電流が、現在の瞬間における出力電圧および出力電流ならびに以前の瞬間における出力電圧および出力電流を含む。瞬時有効電力と瞬時無効電力は、積分単位ではなく、現在の瞬間と以前の瞬間を含む２つの瞬間の取得した出力電圧と取得した出力電流に基づいて計算できるため、安定性および動的特性に対する従来の電力計算における積分遅延の影響は克服される。負荷が急激に変化した後、わずかに１周期で瞬時電力が得られるため、計算遅延が短縮され、動的トラッキング性が良好である。さらに、三角関数のリアルタイム計算が不要なため、制御アルゴリズムの計算量が削減され、占有されるＤＳＰリソースが少なくなる。
【００４９】
単相インバータの制御電源および主電源はどちらも蓄電池から供給されるＤＣ４８Ｖであり、複数の単相インバータに同時に電力を供給して一緒に起動する。単相インバータは同一で、基本的に主回路の遅延が同一であるため、各単相インバータは、起動時に最初に起動されるインバータであると認識する現象がある。このような動作条件下では、複数の単相インバータは位相ロックされないが、ソフトスタート時に直接グリッド接続される。ソフトスタート時は出力電圧が非常に低いため、出力有効電力および無効電力の両方が非常に低く、ドループ効果が比較的弱く、単相インバータの電流共有が不十分で、出力発振が発生しやすく並列システムの故障につながる。ドループ効果を高め、グリッド接続中に発生する衝撃電流を迅速に抑制するために、上記の単相インバータの並列制御システムの好ましい実装では、システムは、並列起動時の出力周波数および出力振幅のドループ係数を補正するように構成された装置をさらに含む。並列起動時に出力周波数と出力振幅のドループ係数を補正することでドループ効果を高め、確実にシステムを起動できる。
【００５０】
図６を参照すると、単相インバータ用の並列制御システムの好ましい実装において、システムは、
電圧および電流再構成装置、すなわち、二次一般化積分器を採用することにより、取得した電圧変数および取得した電流変数に対して電圧および電流再構成を実行するように構成された装置であって、二次一般化積分器を採用することによって、直交仮想信号を構築する従来の方法のフィルタリング遅延や不十分な動的特性などの問題を解決するだけでなく、取得した変数を適応的にフィルタリングできるため、システムの妨害防止機能は改善され、構築された直交ベクトルは、軸ｄｑのデカップリング制御を実現できるだけでなく、後続の位相ロックループの基礎を提供するため、位相ロック精度に対する直流成分などの悪影響が排除され、グリッド接続中に発生する衝撃電流は効果的に抑制される、装置と、
ＰＡＲＫ変換装置、すなわち、ＰＡＲＫ変換により、αβ座標の直交成分をｄｑ座標の
直流成分に変換するように構成された装置と、
電力計算装置、すなわち、現在の瞬間および以前の瞬間の電圧および電流を採用することによって瞬時有効電力および瞬時無効電力を計算するように構成された装置であって、瞬時有効電力および瞬時無効電力は、積分単位の代わりに２つの隣接する瞬間のサンプリング値を採用することによってのみ計算することができ、そのため、安定性および動的特性に対する従来の電力計算における積分遅延の影響が克服され、負荷が急激に変化した後、わずかに１周期で瞬時電力が得られるため、計算遅延が短縮され、動的トラッキング性が良好であり、さらに、三角関数のリアルタイム計算が不要なため、制御アルゴリズムの計算量が削減され、占有されるＤＳＰリソースが少なくなる、装置と、
位相ロックループ装置、すなわち、位相ロックループを採用することにより交流バスの位相を検出し、ｄｑ座標の出力ｑ軸直流成分の目標値をゼロに制御して、並列出力を実行する複数の単相インバータの位相を同じにするように構成された装置と、
ドループ制御装置、すなわち、同期起動ドループ制御の方法で、出力周波数を制御して有効電力を均等に分割し、出力振幅を制御して無効電力を均等に分割するように構成された装置であって、同期起動ドループ制御方式の採用により、並列起動時に出力周波数と出力振幅のドループ係数を補正することでドループ効果を高め、確実にシステムを起動できる、装置と、
電圧および電流のダブル−ループ制御装置、すなわち、電圧および電流のダブル−ループ制御の方法で、閉ループ制御を実行して、軸ｄｑの出力電圧コマンド値を取得するように構成された装置と、
座標変換装置、すなわち、ＩＰＡＲＫ変換によって、ｄｑ座標の出力電圧コマンド値をαβ座標の出力電圧コマンド値に変換し、ＩＣＬＡＲＫＥ変換によって、αβ座標の出力電圧コマンド値をａｂｃ座標の出力電圧コマンド値に変換するように構成された装置と、
単極周波数逓倍変調ユニット、すなわち、ａｂｃ座標の出力電圧コマンド値に従って各単相インバータの出力電圧を調整するための制御信号ＳＰＷＭパルスを変調および生成するように構成された制御ユニットであって、単極周波数逓倍変調方式を採用しているため、単相インバータの４つのスイッチングチューブのスイッチング周波数はキャリアの周波数と同じであり、単相インバータから出力されるパルス周波数は、電力機器のスイッチング周波数を変えない状態で２倍になり、リアクトルおよびコンデンサなどのフィルタのサイズおよび重量を大幅に削減し、単相インバータのコストを削減する、制御ユニットと
を含む。
【００５１】
本出願は、複数の並列単相インバータを備えるインバータをさらに提供し、すべての単相インバータが同じ構造を有し、インバータは、単相インバータ用の並列制御システムをさらに備え、各単相インバータのブーストチョッパ回路およびインバータ回路の両方が、単相インバータ用の並列制御システムの制御ユニットに接続されている。インバータの複数の単相インバータは、相互バックアップ冗長性を備えている。通常、複数の単相インバータが同時に動作を開始し、単相インバータの１つが負荷に電力を供給し、単相インバータに障害が発生した後、さらに負荷に電力を供給するために、他の単相インバータは接触器によって切り替えられる。例として２つの並列単相インバータを含むインバータでは、通常、２つの単相インバータが同時に動作を開始し、単相インバータの１つが負荷に電力を供給し、単相インバータに障害が発生した後、さらに負荷に電力を供給するために、他の単相インバータは接触器によって相互にバックアップされる。複数の並列単相インバータを同時に起動するため、ネットワーク時間が短縮され、起動の信頼性が高くなる。通常の作業では、複数の単相インバータが同時に動作するため、既存の相互バックアップモジュールの再起動遅延の問題が解決され、電源の無停電電源装置が実現され、車両の運転への影響が回避される。
【００５２】
上記の実施形態は、本出願を限定するのではなく、本出願を説明することを意図している。本出願の精神および特許請求の範囲内で本出願に対して行われたいかなる修正および
変更も、本出願の保護範囲に含まれる。
【図１】
2021528038.tif 000024
【図２】
2021528038.tif 000025
【図３】
2021528038.tif 000026
【図４】
2021528038.tif 000027
【図５】
2021528038.tif 000028
【図６】
2021528038.tif 000029
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数の単相インバータを含んで、各前記単相インバータの出力電圧および出力電流を制御し、前記複数の単相インバータの出力電流を均等に分割する単相インバータ並列システムで使用される単相インバータの並列制御方法であって、該並列制御方法が、
現在の瞬間および以前の瞬間の各前記単相インバータの前記出力電圧および前記出力電流を取得するステップと、
前記取得した電圧変数および前記取得した電流変数を再構築し、前記取得した電圧変数または前記取得した電流変数の位相からそれぞれ９０度の位相差を持つ直交仮想量を仮想化し、αβ座標において前記単相インバータ並列システムの直交成分をシミュレートするステップと、
前記αβ座標の前記直交成分をｄｑ座標の直流成分に変換するステップと、
瞬時有効電力Ｐおよび瞬時無効電力Ｑを計算するステップであって、前記瞬時有効電力Ｐおよび前記瞬時無効電力Ｑの計算式は、
2021528038.tif 000030
式中、Ｕｋは現在の瞬間の出力電圧のサンプリング値を表し、Ｉｋは前記現在の瞬間の出力電流のサンプリング値を表し、Ｕｋ−１は以前の瞬間の出力電圧のサンプリング値を表し、Ｉｋ−１は前記以前の瞬間の出力電流のサンプリング値を表し、ｘ＝２π／Ｎであり、Ｎは、サンプリング期間に対する電力周波数期間の比を表していることを特徴とするステップと、
交流バスの位相を検出し、前記ｄｑ座標の出力ｑ軸直流成分の目標値をゼロに制御して、並列出力を行う前記複数の単相インバータの位相を同じにするステップと、
各前記単相インバータの出力周波数をドループ制御によって制御して前記複数の単相インバータの出力位相を同じにして、有効電力を均等に分割し、各前記単相インバータの出
力振幅をドループ制御によって制御して前記複数の単相インバータの出力電圧の振幅を同一にして、無効電力を均等に分割するステップであって、前記ドループ制御のドループ対応は、
2021528038.tif 000031
式中、ｆは出力周波数を表し、ｆ０は初期周波数を表し、ｋＰは前記有効電力のドループ係数を表し、Ｖは出力電圧の振幅、Ｖ０は初期電圧の振幅、ｋＱは前記無効電力のドループ係数を表すことを特徴とするステップと、
ｄ軸電圧ループの基準コマンド値Ｕｄｒｅｆを出力電圧の振幅Ｖとし、ｑ軸電圧ループの基準コマンド値Ｕｄｒｅｆを０とし、前記ｄｑ座標のｄ軸直流成分とｑ軸直流成分に対して閉ループ制御をそれぞれ実行して、軸ｄｑの出力電圧コマンド値を取得するステップと、
各前記単相インバータの出力周波数ｆに従って位相θを計算し、前記ｄｑ座標の前記出力電圧コマンド値を前記αβ座標の出力電圧コマンド値に変換し、前記αβ座標の前記出力電圧コマンド値をａｂｃ座標の出力電圧コマンド値に変換するステップと、
前記ａｂｃ座標の前記出力電圧コマンド値に従って各前記単相インバータの前記出力電圧を調整するための制御信号ＳＰＷＭパルスを変調および生成するステップと
の具体的ステップを含むことを特徴とする、単相インバータの並列制御方法。
【請求項２】
前記取得された電圧変数および前記取得された電流変数は、二次一般化積分器を採用することによって再構築され、該二次一般化積分器は、それぞれＶｏおよびｑＶｏである入力Ｖｉｎおよび２つの出力を有し、前記出力Ｖｏは前記入力Ｖｉｎと同じ位相および振幅を有し、前記出力ｑＶｏは前記入力Ｖｉｎと同じ振幅を有し、位相に関して前記入力Ｖｉｎに対して９０度の遅れがあり、前記２つの出力と前記入力の間の伝達関数は次のとおりであり、
2021528038.tif 000032
式中、ｋは減衰係数を表し、ω０は共振角周波数を表し、
ｓドメイン伝達関数が離散化された後、差分方程式は次のように取得され、
2021528038.tif 000033
式中、Ｔは前記システムのサンプリング期間を表し、ｘ（ｋ）は現在の期間の前記二次一般化積分器の入力を表し、ｘ（ｋ−１）は以前の期間の前記二次一般化積分器の入力を表し、ｘ（ｋ−２）は前記以前の期間の前の期間の前記二次一般化積分器の入力を表し、ｙ０１（ｋ）は前記現在の期間の前記二次一般化積分器の出力を表し、ｙ０１（ｋ−１）は前記以前の期間の前記二次一般化積分器の出力を表し、ｙ０１（ｋ−２）は前記以前の
期間の前の前記期間の前記二次一般化積分器の出力を表し、ｙ０２（ｋ）は前記現在の期間の前記二次一般化積分器の出力を表し、位相に関してｙ０１（ｋ）に対して９０度の遅れがあり、ｙ０２（ｋ−１）は前記以前の期間の前記二次一般化積分器の出力を表し、ｙ０２（ｋ−２）は前記以前の期間の前の前記期間の前記二次一般化積分器の出力を表し、
前記現在の期間の前記二次一般化積分器の前記出力ｙ０１（ｋ）と前記現在の期間の前記二次一般化積分器の前記出力ｙ０２（ｋ）とは、前記二次一般化積分器によって最終的に出力される離散化直交成分であることを特徴とする、請求項１に記載の単相インバータの並列制御方法。
【請求項３】
前記αβ座標の前記直交成分が、ＰＡＲＫ変換により前記ｄｑ座標の前記直流成分に変換され、変換式は、
2021528038.tif 000034
式中、Ｕｄは前記ｄｑ座標のｄ軸直流電圧成分を表し、Ｕｑは前記ｄｑ座標のｑ軸直流電圧成分を表し、Ｕαは前記αβ座標のα軸直交電圧成分を表し、Ｕβは前記αβ座標のβ軸直交電圧成分を表すことを特徴とする、請求項２に記載の単相インバータの並列制御方法。
【請求項４】
前記交流バスの前記位相が位相ロックループによって検出され、ＰＩコントローラによって前記ｄｑ座標の前記出力ｑ軸直流成分の前記目標値をゼロに制御して、並列出力を実行する前記複数の単相インバータの前記位相が同じになるようにし、具体的なステップが、前記交流バスの電圧を取得し、前記二次一般化積分器を使用して、前記αβ座標で前記バスの前記電圧に対して９０度の遅れを有する直交成分を構築するステップと、前記αβ座標の前記直交成分をＰＡＲＫ変換により前記ｄｑ座標の直流成分に変換し、前記ｄｑ座標のｄ軸直流電圧成分Ｕｄおよびｑ軸直流電圧成分Ｕｑを計算するステップと、前記単相インバータの１つによって出力されるｑ軸直流電圧成分Ｕｑがゼロに等しい場合、前記単相インバータの出力位相は前記バスの前記位相と同じであり、前記ＰＩコントローラによって、前記出力ｑ軸直流電圧成分Ｕｑの前記目標値がゼロに制御して閉ループ調整を形成し、それにより並列出力を行う前記複数の単相インバータの前記位相を同じにするステップであることを特徴とする、請求項３に記載の単相インバータの並列制御方法。
【請求項５】
前記ドループ制御における前記ドループ係数は、前記複数の単相インバータが並列に起動される過程で補正され、補正されたドループ対応は、
2021528038.tif 000035
式中、Ｋｆは周波数補正係数を表し、ＫＶは振幅補正係数を表すことを特徴とする、請求項１に記載の単相インバータの並列制御方法。
【請求項６】
前記ｄｑ座標における前記ｄ軸直流成分および前記ｑ軸直流成分の前記閉ループ制御が、前記軸ｄｑの前記出力電圧コマンド値を取得するための電圧および電流のダブル−ループ制御の方法でそれぞれ実行され、具体的なステップが、ｄ軸電圧ループの基準コマンド値Ｕｄｒｅｆと電圧出力値Ｕｄとの差異を計算し、前記差異が前記ｄ軸電圧ループのＰＩコントローラに入り、前記ｄ軸電圧ループの前記ＰＩコントローラの出力をｄ軸電流ルー
プの基準コマンド値Ｉｄｒｅｆとして取得し、前記ｄ軸電流ループの前記基準コマンド値Ｉｄｒｅｆと実際の電流出力値Ｉｄとの差異を計算し、次いで前記差異が前記ｄ軸電流ループのＰＩコントローラに入ることを可能にするステップと、ｑ軸電圧ループの基準コマンド値Ｕｑｒｅｆと電圧出力値Ｕｑとの差異を計算し、前記差異が前記ｑ軸電圧ループのＰＩコントローラに入り、前記ｑ軸電圧ループの前記ＰＩコントローラの出力をｑ軸電流ループの基準コマンド値Ｉｑｒｅｆとして取得し、前記ｑ軸電流ループの前記基準コマンド値Ｉｑｒｅｆと実際の電流出力値Ｉｑとの差異を計算し、次いで前記差異が前記ｑ軸電流ループのＰＩコントローラに入ることを可能にするステップと、前記ｄ軸電流ループの出力値と前記ｑ軸電流ループの出力値に対してクロスデカップリングを実行して、前記軸ｄｑの前記出力電圧コマンド値を取得するステップであることを特徴とする、請求項１に記載の単相インバータの並列制御方法。
【請求項７】
前記ｄｑ座標の前記出力電圧コマンド値は、ＩＰＡＲＫ変換により前記αβ座標の前記出力電圧コマンド値に変換され、前記αβ座標の前記出力電圧コマンド値は、ＩＣＬＡＲＫＥ変換により前記ａｂｃ座標の前記出力電圧コマンド値に変換されることを特徴とする、請求項１に記載の単相インバータの並列制御方法。
【請求項８】
前記各単相インバータの前記出力電圧を調整するための前記制御信号ＳＰＷＭパルスが、前記ａｂｃ座標の前記出力電圧コマンド値に従って生成され、具体的なステップが、前記ａｂｃ座標の前記出力電圧コマンド値に従って、同じ振幅および反対の位相を有する２つの正弦関数の変調波ＵａおよびＵｂを構築するステップであって、前記２つの正弦関数の変調波は搬送波として三角波Ｕｃを共有する、ステップと、それぞれ前記正弦関数の変調波ＵａとＵｂを前記三角波Ｕｃと比較して、２つのＳＰＷＭ波Ｕｇ１とＵｇ３を取得するステップであって、前記ＳＰＷＭ波Ｕｇ１は、各前記単相インバータのスイッチングチューブＱ１の駆動信号として使用され、Ｕｇ１に対応するリバース信号Ｕｇ２は、各前記単相インバータのスイッチングチューブＱ２の駆動信号として使用され、前記ＳＰＷＭ波Ｕｇ３は、各前記単相インバータのスイッチングチューブＱ３の駆動信号として使用され、Ｕｇ３に対応するリバース信号Ｕｇ４は、各前記単相インバータのスイッチングチューブＱ４の駆動信号として使用される、ステップと、前記搬送波のピークまたはトラフ位置で前記正弦関数の変調波をサンプリングするステップと、デジタル信号プロセッサの比較モジュールにより、各前記単相インバータの前記出力電圧を調整するための４つの制御信号ＳＰＷＭパルスを生成するステップであることを特徴とする、請求項７に記載の単相インバータの並列制御方法。
【請求項９】
単相インバータ用の並列制御システムであって、
各前記単相インバータの出力電圧および出力電流を取得するように構成された装置と、
前記取得した電圧変数および前記取得した電流変数を再構築し、前記取得した電圧変数または前記取得した電流変数の位相からそれぞれ９０度の位相差を持つ直交仮想量を仮想化し、αβ座標において前記単相インバータ並列システムの直交成分をシミュレートするように構成された装置と、
前記αβ座標の前記直交成分をｄｑ座標の直流成分に変換する装置と、
瞬時有効電力Ｐおよび瞬時無効電力Ｑの計算式に従って、瞬時有効電力Ｐおよび瞬時無効電力Ｑを計算するように構成された装置であって、前記瞬時有効電力Ｐおよび前記瞬時無効電力Ｑの前記計算式は、
2021528038.tif 000036
式中、Ｕｋは現在の瞬間の出力電圧のサンプリング値を表し、Ｉｋは前記現在の瞬間の出力電流のサンプリング値を表し、Ｕｋ−１は以前の瞬間の出力電圧のサンプリング値を表し、Ｉｋ−１は前記以前の瞬間の出力電流のサンプリング値を表し、ｘ＝２π／Ｎであり、Ｎは、サンプリング期間に対する電力周波数期間の比を表していることを特徴とする装置と、
交流バスの位相を検出し、前記ｄｑ座標の出力ｑ軸直流成分の目標値をゼロに制御して、並列出力を行う前記複数の単相インバータの位相を同じにするように構成された装置と、
各前記単相インバータの出力周波数をドループ制御によって制御して前記複数の単相インバータの出力位相を同じにして、有効電力を均等に分割し、各前記単相インバータの出力振幅をドループ制御によって制御して前記複数の単相インバータの出力電圧の振幅を同一にして、無効電力を均等に分割するように構成された装置と、
ｄ軸電圧ループの基準コマンド値Ｕｄｒｅｆを出力電圧の振幅Ｖとし、ｑ軸電圧ループの基準コマンド値Ｕｄｒｅｆを０とし、前記ｄｑ座標のｄ軸直流成分とｑ軸直流成分に対して閉ループ制御をそれぞれ実行して、軸ｄｑの出力電圧コマンド値を取得するように構成された装置と、
各前記単相インバータの出力周波数ｆに従って位相を計算し、前記ｄｑ座標の前記出力電圧コマンド値を前記αβ座標の出力電圧コマンド値に変換し、前記αβ座標の前記出力電圧コマンド値をａｂｃ座標の出力電圧コマンド値に変換するように構成された装置と、
前記ａｂｃ座標の前記出力電圧コマンド値に従って各前記単相インバータの前記出力電圧を調整するための制御信号ＳＰＷＭパルスを変調および生成するように構成された制御ユニットと
を備えることを特徴とする、単相インバータ用の並列制御システム。
【請求項１０】
各前記単相インバータの前記取得した出力電圧および前記取得した出力電流が、現在の瞬間における出力電圧および出力電流ならびに以前の瞬間における出力電圧および出力電流を含むことを特徴とする、請求項９に記載の単相インバータ用の並列制御システム。
【請求項１１】
並列起動中に前記出力周波数および前記出力振幅のドループ係数を補正するように構成された装置をさらに備えることを特徴とする、請求項９に記載の単相インバータ用の並列制御システム。
【請求項１２】
複数の並列単相インバータを備え、すべての前記単相インバータが同じ構造を有することを特徴とするインバータであって、該インバータが、単相インバータ用の前記並列制御システムをさらに備え、各前記単相インバータのブーストチョッパ回路およびインバータ回路の両方が、単相インバータ用の前記並列制御システムの前記制御ユニットに接続されている、インバータ。
【手続補正２】
【補正対象書類名】明細書
【補正対象項目名】０００５
【補正方法】変更
【補正の内容】
【０００５】
上記目的を達成するために、本出願は、複数の単相インバータを含んで、各単相インバータの出力電圧および出力電流を制御し、複数の単相インバータの出力電流を均等に分割する単相インバータ並列システムで使用される単相インバータの並列制御方法であって、並列制御方法が、
現在の瞬間および以前の瞬間の各単相インバータの出力電圧および出力電流を取得するステップと、
取得した電圧変数および取得した電流変数を再構築し、取得した電圧変数または取得した電流変数の位相からそれぞれ９０度の位相差を持つ直交仮想量を仮想化し、αβ座標において単相インバータ並列システムの直交成分をシミュレートするステップと、
αβ座標の直交成分をｄｑ座標の直流成分に変換するステップと、
瞬時有効電力Ｐおよび瞬時無効電力Ｑを計算するステップであって、前記瞬時有効電力Ｐおよび前記瞬時無効電力Ｑの計算式は、
2021528038.tif 000037
式中、Ｕｋは現在の瞬間の出力電圧のサンプリング値を表し、Ｉｋは前記現在の瞬間の出力電流のサンプリング値を表し、Ｕｋ−１は以前の瞬間の出力電圧のサンプリング値を表し、Ｉｋ−１は前記以前の瞬間の出力電流のサンプリング値を表し、ｘ＝２π／Ｎであり、Ｎは、サンプリング期間に対する電力周波数期間の比を表していることを特徴とするステップと、
交流バスの位相を検出し、ｄｑ座標の出力ｑ軸直流成分の目標値をゼロに制御して、並列出力を行う複数の単相インバータの位相を同じにするステップと、
各単相インバータの出力周波数をドループ制御によって制御して複数の単相インバータの出力位相を同じにして、有効電力を均等に分割し、各単相インバータの出力振幅をドループ制御によって制御して複数の単相インバータの出力電圧の振幅を同一にして、無効電力を均等に分割するステップであって、前記ドループ制御のドループ対応は、
2021528038.tif 000038
式中、ｆは出力周波数を表し、ｆ０は初期周波数を表し、ｋＰは前記有効電力のドループ係数を表し、Ｖは出力電圧の振幅、Ｖ０は初期電圧の振幅、ｋＱは前記無効電力のドループ係数を表すことを特徴とするステップと、
ｄ軸電圧ループの基準コマンド値Ｕｄｒｅｆを出力電圧の振幅Ｖとし、ｑ軸電圧ループの基準コマンド値Ｕｄｒｅｆを０とし、ｄｑ座標のｄ軸直流成分とｑ軸直流成分に対して閉ループ制御をそれぞれ実行して、軸ｄｑの出力電圧コマンド値を取得するステップと、
各前記単相インバータの出力周波数ｆに従って位相θを計算し、ｄｑ座標の出力電圧コマンド値をαβ座標の出力電圧コマンド値に変換し、αβ座標の出力電圧コマンド値をａｂｃ座標の出力電圧コマンド値に変換するステップと、
ａｂｃ座標の出力電圧コマンド値に従って各単相インバータの出力電圧を調整するための制御信号ＳＰＷＭパルスを変調および生成するステップと
の具体的ステップを含む、並列制御方法を提供する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１５
【補正方法】変更
【補正の内容】
【００１５】
上記目的を達成するために、本出願は、単相インバータ用の並列制御システムであって、
各単相インバータの出力電圧および出力電流を取得するように構成された装置と、
取得した電圧変数および取得した電流変数を再構築し、取得した電圧変数または取得した電流変数の位相からそれぞれ９０度の位相差を持つ直交仮想量を仮想化し、αβ座標において単相インバータ並列システムの直交成分をシミュレートするように構成された装置と、
αβ座標の直交成分をｄｑ座標の直流成分に変換する装置と、
瞬時有効電力Ｐおよび瞬時無効電力Ｑの計算式に従って、瞬時有効電力Ｐおよび瞬時無効電力Ｑを計算するように構成された装置であって、前記瞬時有効電力Ｐおよび前記瞬時無効電力Ｑの前記計算式は、
2021528038.tif 000039
式中、Ｕｋは現在の瞬間の出力電圧のサンプリング値を表し、Ｉｋは前記現在の瞬間の出力電流のサンプリング値を表し、Ｕｋ−１は以前の瞬間の出力電圧のサンプリング値を表し、Ｉｋ−１は前記以前の瞬間の出力電流のサンプリング値を表し、ｘ＝２π／Ｎであり、Ｎは、サンプリング期間に対する電力周波数期間の比を表していることを特徴とする装置と、
交流バスの位相を検出し、ｄｑ座標の出力ｑ軸直流成分の目標値をゼロに制御して、並列出力を行う複数の単相インバータの位相を同じにするように構成された装置と、
各単相インバータの出力周波数をドループ制御によって制御して複数の単相インバータの出力位相を同じにして、有効電力を均等に分割し、各単相インバータの出力振幅をドループ制御によって制御して複数の単相インバータの出力電圧の振幅を同一にして、無効電力を均等に分割するように構成された装置と、
ｄ軸電圧ループの基準コマンド値Ｕｄｒｅｆを出力電圧の振幅Ｖとし、ｑ軸電圧ループの基準コマンド値Ｕｄｒｅｆを０とし、ｄｑ座標のｄ軸直流成分とｑ軸直流成分に対して閉ループ制御をそれぞれ実行して、軸ｄｑの出力電圧コマンド値を取得するように構成された装置と、
各前記単相インバータの出力周波数ｆに従って位相を計算し、ｄｑ座標の出力電圧コマンド値をαβ座標の出力電圧コマンド値に変換し、αβ座標の出力電圧コマンド値をａｂｃ座標の出力電圧コマンド値に変換するように構成された装置と、
ａｂｃ座標の出力電圧コマンド値に従って各単相インバータの出力電圧を調整するための制御信号ＳＰＷＭパルスを変調および生成するように構成された制御ユニットと
を備える、並列制御システムをさらに提供する。
【手続補正６】
【補正対象書類名】明細書
【補正対象項目名】００１６
【補正方法】削除
【補正の内容】
【国際調査報告】
2021528038.tif 000040
2021528038.tif 000041
2021528038.tif 000042
2021528038.tif 000043
2021528038.tif 000044
2021528038.tif 000045